(57)【要約】照明状態の悪い環境でコンピューターのキーボード（２２０）または他の物品を照らすためのコンピューターライト（１０）は白色のＬＥＤ及び、ＵＳＢ接続ポート（２１０）から電力を引き出すことを可能にするＵＳＢプラグを備える。コンピューターライト（１０）はライトヘッドが容易に位置付けできる程度に柔らかく、かつ、ライトヘッドが触れられていないときに、コンピューターのキーボード（２２０）または他の物品に対して所定の位置に留まる程度に硬い、細長のネックを有する。コンピューターライト（１０）は軽量で、省エネで、かつ、コンパクトに収納することが可能なので、特に、ポータブルコンピューターのユーザーに対して便利である。
2004506966.tif 000002
【特許請求の範囲】
【請求項１】
ＬＥＤ；
前記ＬＥＤの第１端に接続したフレキシブルなネック；及び、
前記フレキシブルなネックを介して前記ＬＥＤに電力を供給するために、前記フレキシブルなネックに接続されており、コンピューターポートを介して電源に接続可能なプラグ、
から成るコンピューターライト装置。
【請求項２】
前記ＬＥＤが電源に接続されているときに、約０．１ワットの電力を消費する、請求項１に記載のコンピューターライト装置。
【請求項３】
前記フレキシブルなネックが互いに密に接触した状態の内側及び外側の管材料を備える、請求項１に記載のコンピューターライト装置。
【請求項４】
前記フレキシブルなネックが前記プラグと前記ＬＥＤを電気的に接続する、前記内側及び外側の管材料の中心に沿って拡張する１組のワイヤを備える、請求項３に記載のコンピューターライト装置。
【請求項５】
前記フレキシブルなネックが４０−４５ｃｍの長さを持ち、前記ＬＥＤを所定の位置に吊るすために十分な硬さを有する、請求項４に記載のコンピューターライト装置。
【請求項６】
前記内側及び外側の管材料が複数の巻線から成る、請求項４に記載のコンピューターライト装置。
【請求項７】
円筒形の筐体及びレンズをさらに備え、前記円筒形の筐体が前記ＬＥＤを囲むように、前記円筒形の筐体の一方の端に前記フレキシブルなネックが取付けられ、前記円筒形の筐体のもう一方の端に前記レンズが取付けられている、請求項１に記載のコンピューターライト装置。
【請求項８】
前記レンズが前記ＬＥＤによって放射される光線の特性を変化させる、プラスチック製の透明レンズから構成される、請求項７に記載のコンピューターライト装置。
【請求項９】
前記プラグがＵＳＢポートに互換性のあるプラグである、請求項８に記載のコンピューターライト装置。
【請求項１０】
前記プラグがＵＳＢポートに互換性のあるプラグである、請求項１に記載のコンピューターライト装置。
【請求項１１】
プロセッサー、前記プロセッサーに関連したメモリー、及び電源を持つメインコンソール；
前記メインコンソールに接続された入力デバイス；
前記メインコンソールに接続された出力デバイス；及び、
ＬＥＤヘッド及びフレキシブルなネックを備える、電源に電気的に接続されたＬＥＤデバイス、
から成るコンピューター装置。
【請求項１２】
前記メインコンソールがＵＳＢコネクタを備え、前記ＬＥＤデバイスが前記ＵＳＢコネクタを介して前記電源に電気的に接続されている、請求項１１に記載のコンピューター装置。
【請求項１３】
前記ＬＥＤデバイスが前記ＵＳＢコネクタに結合するＵＳＢプラグを備える、請求項１２に記載のコンピューター装置。
【請求項１４】
前記入力デバイスがＵＳＢコネクタを含み、前記ＬＥＤデバイスが前記ＵＳＢコネクタを介して前記電源に電気的に接続される、請求項１１に記載のコンピューター装置。
【請求項１５】
前記ＬＥＤデバイスが前記ＵＳＢコネクタに結合するＵＳＢプラグを備える、請求項１４に記載のコンピューター装置。
【請求項１６】
前記ＬＥＤデバイスがスイッチを備える、請求項１１に記載のコンピューター装置。
【請求項１７】
前記フレキシブルなネックが互いに密に接触した状態の内側及び外側の管材料を備える、請求項１１に記載のコンピューター装置。
【請求項１８】
前記フレキシブルなネックが４０−４５ｃｍの長さを持ち、前記ＬＥＤデバイスのＬＥＤヘッドを前記メインコンソールに対して所定の位置に吊るすために十分な硬さを有する、請求項１７に記載のコンピューター装置。
【請求項１９】
処理ユニット、前記処理ユニットに接続した入力デバイス、前記処理ユニットに接続した出力デバイス、及びコンピューターポートを介して前記処理ユニットに接続したＬＥＤデバイスを備える前記コンピューターにおいて、前記コンピューターのユーザーに視覚的な信号を与えるための方法であって：
イベントを感知すること；及び、
前記イベントの前記感知への応答で、前記コンピューターの前記ユーザーに信号を送るために、前記ＬＥＤデバイスをオンにすること、
のステップから成る方法。
【請求項２０】
前記感知するステップが電子メールの受信を感知するステップを含む、請求項１９に記載の方法。
【請求項２１】
前記感知するステップがインターネット電話の呼び出しを感知するステップを含む、請求項１９に記載の方法。
【請求項２２】
前記感知するステップがファックスの受信を感知するステップを含む、請求項１９に記載の方法。
【請求項２３】
前記感知するステップがネットワークのトラフィックのレベルを感知するステップを含む、請求項１９に記載の方法。
【請求項２４】
前記ＬＥＤデバイスをオンにするステップが前記ＬＥＤを交互にオン・オフするステップを含む、請求項１９に記載の方法。
【請求項２５】
処理ユニット；
コンピューターポート；
電源；及び、
前記コンピューターポートを介して前記処理ユニット及び前記電源に接続されたＬＥＤデバイス、
から成り、前記処理ユニットがイベントを感知し、前記イベントの感知への応答で、コンピューター装置のユーザーに前記イベントを視覚的に伝えるために前記ＬＥＤデバイスをオン・オフするようにプログラムされている、前記コンピューター装置。
【請求項２６】
前記コンピューターポートがＵＳＢポートである、請求項２５に記載のコンピューター装置。
【請求項２７】
前記コンピューターポートがＩＥＥＥ１３９４ポートである、請求項２５に記載のコンピューター装置。
【請求項２８】
前記処理ユニットが電子メールの受信を感知するようにプログラムされている、請求項２５に記載のコンピューター装置。
【請求項２９】
前記処理ユニットがインターネット電話の呼び出しを感知するようにプログラムされている、請求項２５に記載のコンピューター装置。
【請求項３０】
前記処理ユニットがファックスの受信を感知するようにプログラムされている、請求項２５に記載のコンピューター装置。
【請求項３１】
前記処理ユニットがネットワークのトラフィックのレベルを感知するようにプログラムされている、請求項２５に記載のコンピューター装置。
【請求項３２】
前記処理ユニットが前記ＬＥＤを交互にオン・オフするようにプログラムされている、請求項２５に記載のコンピューター装置。
【発明の詳細な説明】
【０００１】
（発明の分野）
本発明はコンピューターのライト、特にＵＳＢ（Ｕｎｉｖｅｒｓａｌ Ｓｅｒｉａｌ Ｂｕｓ）ポートやＩＥＥＥ１３９４（ファイアワイヤ）ポート等のコンピューターのポート等に互換性のある、ポータブルな（または、持ち運び式の）省エネ型ライトに関する。
【０００２】
（発明の背景）
コンピューターの使用が年々増大すると共に、照明状態の悪い環境でのコンピューターの使用も増大しつつある。照明状態の良くない状態でも、ユーザーが画面を見ることは可能であるが、多くの場合、ユーザーはコンピューターのキーボードや、プレゼンテーション用のメモやスライド等の紙面を見ることができない。キーボード上のいくつかのキー（例えば、矢印キー、ファンクションキー、や削除キー等）はキーボードによって配置が異なることがあるので、タイピングに熟練した人でも、感覚だけでキーの場所を突き止めるのが難しく、このような環境は望ましい状態とは言えない。（タイピングに熟練した人であっても）ユーザーは所望のキーを押す前に、キーボードを見てキーの場所を確認することがあり、照明状態が悪い場合、ユーザーは感覚だけに頼るしかなく、間違ったキーを押してしまう場合が多い。さらに、ユーザーがケーブルをコンピューターに差し込んだり、コンピューターから引き抜いたりする必要がある場合にも、コンピューターの背部は、ほとんど照らされていない場合が多い。
【０００３】
コンピューターのユーザーに対し、多くのポータブル（または、持ち運び式）ライトが商業上入手可能であるが、これらの装置は（内蔵式や外付け式の）専用電源を必要とするので、デスクトップコンピューターと共に使う場合には便利であるが、ポータブルのコンピューターには適していない。すなわち、これらの装置はかさばるので（または、重すぎるので）、多様な場所に持ち運び、ラップトップコンピューター（または、ノート型コンピューター）と共に使用するためには適していない。ラップトップコンピューターの重さに、ポータブルの照明装置及びその電源の重さが加わり、さらにラップトップコンピューターの電源の重さも加わることになる。上述及びその他の理由により、ポータブル照明装置は便利であるにも関わらず、ラップトップコンピューター（または、ノート型コンピューター）のユーザーには広まっておらず、デスクトップコンピューターのユーザーのみに重宝されているのが現状である。
【０００４】
（発明の開示）
本発明は照明状態の悪い状況で、コンピューターのキーボードや、コンピューターのユーザーが利用している書類等の他の物品を照らすためのコンピューター用のライトまたは照明装置を提供する。本発明のコンピューターライトは軽量であり、コンピューターの電源から電力を引き出すためにコンピューターポートに互換性のあるプラグを持つ。これにより、ラップトップコンピューターのユーザーは必要以上の重量を加えずに、ラップトップコンピューターと共に照明装置を梱包し（または、かばん等に入れ）、持ち運ぶことができる。コンピューターライトは省エネ型のものであり、ラップトップコンピューターの電源から必要以上に電力を引き出さない。さらに、コンピューターライトはライトヘッドが容易に所望の位置に配置される程度に柔らかく、かつ、ライトヘッドに触れていないときに、ライトヘッドが所望の位置に留まる程度に硬い、フレキシブルな（または、可撓性の）細長いネック（または、くび）を持つ。
【０００５】
付随する図面は詳細な説明を補助し、目下のところ最も好まれる本発明の実施例を図示しており、上述の概要及び以下の詳細な説明と共に本発明の原理を説明するために利用される。
【０００６】
（好まれる実施例の詳細な説明）
以下に説明される好まれる実施例はコンピューターのＵＳＢポートと共に使用するために構成されたコンピューターライトに関するものであるが、本発明はＵＳＢポートには限定されない。本発明の特徴を利用するコンピューターライトは、例えば、ＩＥＥＥ１３９４（ファイアワイヤ）ポートを含む、他のコンピューターポートと共に使用するために構成されてもよい。
【０００７】
図１は本発明に従った実施例のコンピューターライトを図示している。コンピューターライトまたはランプ１０はコンピューターのＵＳＢコネクタ（図２及び図４参照）またはコンピューターのキーボード（図３参照）のＵＳＢコネクタの電源及びグランドリード（または、リード線）に接続するためのＵＳＢプラグ２０を持つ。
【０００８】
機能的に述べると、コンピューターライト１０はＵＳＢスレーブデバイス（ＵＳＢ ｓｌａｖｅ ｄｅｖｉｃｅ）である。ＵＳＢスレーブデバイスはＵＳＢプロトコルとして知られている接続プロトコルを使用して、ＵＳＢマスターデバイス（ＵＳＢ ｍａｓｔｅｒ ｄｅｖｉｃｅ）によって制御される周辺デバイスのことである。ＵＳＢスレーブデバイスの他の例はマイク、スピーカー、及びゲーム用コントロールデバイスを含む。ＵＳＢポートは、それの高いデータレート、業界標準のサポート、及び小型のデザインにより、ここ数年急速に普及している。
【０００９】
成形型のプラスチック製ジャケット（または、プラスチック外装）３０はＵＳＢプラグ２０の外側に部分的に形成される。プラスチック製ジャケット３０はコンピューターのＵＳＢ接続ポートにＵＳＢプラグ２０を挿入するときに使用される取っ手として、及び、ＵＳＢプラグ２０がＵＳＢ接続ポートに、必要以上に深く挿入されることを防止するための停止用の制限として利用される。
【００１０】
コンピューターライトはさらに、グーズネックケーブル（すなわち、自由に首の曲がるケーブル）４０及び、発光ダイオード（ＬＥＤ）５０を含む。図５Ａに示されているように、グーズネックケーブル４０はＵＳＢプラグ２０をＬＥＤ５０に電気的に接続させるためにケーブルの中央部分に沿って拡張する、絶縁された１組の銅線（または、導線）４１、４２を持つ。グーズネックケーブル４０はＬＥＤ５０を手動で位置付けることができる程度で、かつ、触れられていないときに、コンピューターのキーボードや他の物品に対して所望の位置に固定される程度の可撓性（または、フレキシビリティー）を持つ。また、グーズネックケーブル４０はコンピューターライトが使用されないときに、ケーブルが場所を取らないようにコイル状にすることが可能である。
【００１１】
グーズネックケーブル４０の強度または硬度は、図５Ａに断面が示されているように、１組の管材料（または、管）４３、４４によって達成される。プラスチック製カバー４５は装飾の目的で備えられている。各管材料４３、４４は金属のワイヤ（または、導線）から作製されており、図５Ｂ及び５Ｃに破断図で示されているように、金属ワイヤを密な（または、余裕のない）螺旋状にすることによって形成されている。内側の管材料４３は、管材料４３の螺旋の外径が外側の管材料４４の螺旋の内径と実質的に等しくなるように形成される。内側の管材料４３と外側の管材料４４との間の静止摩擦により、グーズネックケーブル４０は、力が加えられていないとき、所定の位置（または、所定の形状）に固定される。
【００１２】
好まれる実施例において、内側の管材料４３の螺旋の巻きの向きは外側の管材料４４の螺旋の巻きの向きと同じである。代替的な実施例において、巻きの向きが（互いに）逆であってもよい。また、本発明はグーズネックケーブル４０に強度または硬度を導入するための単一の方法には限定されない。当業者には（強度または硬度を導入するための）他の方法が周知であり、本発明はそれらの方法も含む。
【００１３】
グーズネックケーブル４０の長さは好まれるものとして、約４０−４５ｃｍである。本発明に従って他の長さのグーズネックケーブル４０が使用されてもよいが、コンピューターライトの使用、特に、ラップトップコンピューターとの使用を考えると、４０−４５ｃｍがユーザーにとっては便利であると考えられる。この長さはコンピューターライト１０の操作を容易にし、ＬＥＤ５０がコンピューター本体の上部や側部等に配置されることを可能にする。
【００１４】
ＬＥＤ５０は明るい白色の光を発生し、コンピューターのキーボード、ディスプレイ、側面等を照らすために、グーズネックケーブル４０により適当な場所に配置される。コンピューターライト１０がホストとなるコンピューターまたはキーボードのＵＳＢ接続ポートに挿入されると、ＵＳＢプラグ２０及びグーズネックケーブル内のワイヤ（または、導線）によって、ＬＥＤ５０にコンピューターの電源から電力が供給される。
【００１５】
例としての実施例において、ＬＥＤ５０は３．６−４．０ボルトの電圧を必要とし、約０．０２０−０．０３０ミリアンペアの電流を引き出す。したがって、ＬＥＤ５０はコンピューターの電源に接続されたときに、約０．１ワットを消費する。コンピューターは５ボルト源を備えているので、電圧はＬＥＤ５０に供給される前に、３．６ボルト程度に下げられる。ＬＥＤ５０をＯＮにし続け、使いっぱなしにしたとしても、コンピューターライトはラップトップコンピューターのバッテリー寿命を１−３％程度しか減少させない。上述した特性を持つＬＥＤの例はＮｉｃｈｉａによって製造されているＬＥＤである。ＬＥＤのもう１つの長所は、非常に寿命が長いことである。すなわち、比較的頻繁に取り替えなければならない通常の電球と異なり、ＬＥＤはほとんど、または全く取り替える必要がない。
【００１６】
ＬＥＤ５０はＵＳＢ接続ポートを介してコンピューターから電力を引き出すので、コンピューターライト１０は電源としてのバッテリーまたは電池を必要としない。結果として、ランプのデザインは非常に単純化することができ、少ない部品、及び最小の重量で構成することができる。例としての実施例において、コンピューターライト１０の全重量は９０グラム以下である。また、コンピューターライト１０は非常に丈夫であり、電球を利用する通常のランプと異なり、容易に壊れる部品をほとんど（または、全く）持たない。
【００１７】
図１に図示されているように、ＬＥＤ５０はアルミニウム製の円筒形の筐体６０及び、プラスチック製の透明なレンズ７０によって被われている。円筒形の筐体６０の一方の端は、円筒形の筐体がＬＥＤ５０を囲むようにグーズネックケーブル４０に接続され、円筒形の筐体６０のもう一方の端には、円筒形の筐体の内側にＬＥＤを封入するために、レンズ７０がプレスばめ（ｐｒｅｓｓ ｆｉｔ）される。
【００１８】
ＬＥＤヘッド組立品の詳細は図６Ａ及び６Ｂに図示されている。図６Ａは分解斜視図であり、図６Ｂは組立てられた状態のときの断面図である。図６Ｂの線Ａはレンズ７０の背面の前後方向（ｆｏｒｅ−ａｆｔ）の位置を表しており、図６Ｂの線ＢはＬＥＤの点光源（ｌｉｇｈｔ ｐｏｉｎｔ ｓｏｕｒｃｅ）の前後方向の位置を表している。好まれる実施例において、線Ｂは、図６Ｂに示されているように、線Ａの後にある。好まれる実施例のＬＥＤの位置はユーザーの気を散らす可能性があるギラツキを発生しない、便利な光源を与える。
【００１９】
プラスチック製の透明レンズ７０は、例えば、色、分散量（ａｍｏｕｎｔ ｏｆ ｄｉｓｐｅｒｓａｌ）等の、ＬＥＤ５０によって放射される光線の特性を変化させる。レンズ７０の表面仕上げ（ｓｕｒｆａｃｅ ｆｉｎｉｓｈ）は、異なった光線の特性を与えたり、ユーザーに好まれるやわらかな光を与えたりするために、多様な形状または特性を持つように形成されてもよい。
【００２０】
また、プラスチック製の透明レンズ７０はＬＥＤ５０の前方に配置される銀色の反射板を備えてもよい。ＬＥＤ５０からの光は小さな円錐角で広がり、銀色の反射板によって所望の方向、広がり、特性、または光度を持つように反射されてもよい。
【００２１】
また、プラスチック製の透明レンズ７０は室温、時間等の情報をユーザーに与えることができるように光（のパターン）を変更するために、物理的またはデジタル式の「マスク」（または、「遮蔽」）を備えてもよい。例えば、壁に反射されたときに、ユーザーに対して時計状の形状または模様（または、時計の機能）を与えるような光線を生成するために、レンズを構成する部材と小型の液晶ディスプレイが使用されてもよい。また、色の変化によってユーザーに情報を伝えるために多色のＬＥＤが使用されてもよい。
【００２２】
図２はラップトップコンピューター（または、ノート型コンピューター）のメインコンソール（または、本体）２２０に備えられたＵＳＢ接続ポート２１０に接続されたコンピューターライト１０を図示している。ラップトップコンピューターのキーボード（図示せず）はメインコンソール２２０の上面に一体化されて形成されており、ディスプレイ２４０は蝶番を利用してラップトップコンピューターのメインコンソール２２０に取付けられている。
【００２３】
図３はデスクトップコンピューターのキーボード３３０に備えられたＵＳＢ接続ポート３１０に接続されたコンピューターライト１０を図示している。キーボード３３０は電気コード及びプラグを介してデスクトップコンピューターのメインコンソール（または、本体）３２０に電気的に接続しているが、メインコンソール３２０から物理的に（または、機械的に）分離している。しかしながら、デスクトップコンピューターのディスプレイ３４０はデスクトップコンピューターの前面に一体化されて形成されている。この実施例において、（ＬＥＤ５０の）電力はキーボード３３０を介して、メインコンソール内に収納されている電源から供給される。
【００２４】
図４はデスクトップコンピューターのメインコンソール４２０に備えられているＵＳＢ接続ポート４１０に接続されたコンピューターライト１０を図示している。この実施例において、コンピューターのキーボード４３０及びディスプレイ４４０は両方ともメインコンソール４２０から物理的に（または、機械的に）分離されており、それぞれの電気コード及びプラグを介してメインコンソール４２０に電気的に接続されている。
【００２５】
図２−４に示されているこれら３つの実施例において、メインコンソール（または、本体）はプロセッサー、（プロセッサーに接続している）メモリー、及び電源を含む。電源は通常、ＤＣ電源を使用しており、ＵＳＢ接続ポート等の接続ポートを介して、ＵＳＢスレーブデバイス等の外部接続デバイスに電源（または、電力）を供給することができるように構成されている。
【００２６】
図７はＯＮ−ＯＦＦスイッチ７１を備えたコンピューターライト１０を図示している。スイッチ７１がＯＮのとき閉回路が形成され、コンピューターの電源からＬＥＤ５０に電力が供給される。スイッチ７１がＯＦＦのとき開回路が形成され、コンピューターの電源からＬＥＤ５０への電力供給が遮断される。コンピューターライト１０は、例えば、コンピューターライト１０のスイッチ７１がオフにされたときに、他のＵＳＢスレーブデバイスがホストとなるコンピューターのＵＳＢ接続ポートに接続されて動作可能となるように、雌型のＵＳＢ接続ポート（図示せず）を備えてもよい。
【００２７】
図８はコンピューターのユーザーにイベントに対する視覚的な信号を与えるために、コンピューターライト１０を制御するための構成要素を図示している、コンピューターのメインコンソール（または、本体）７００のブロック図である。構成要素は、例えば、受信した電子メール、インターネット電話の呼び出し、電子的にコンピューターに送信されたファックス、または、ネットワークのトラフィック（または、通信量）のレベル等の、イベントを感知または検出するための、プログラムされたマイクロプロセッサー７１０及び関連するメモリー７３０；並びに、ユーザーの注意を惹きつけるのに十分な程度に長い、例えば、５秒間等の、予めプログラムされた期間の間、接続されたコンピューターライト１０がオン・オフを繰り返す（または、点滅する）ことを生じさせるために、交互に、電源７４０からコンピューターライト１０に電力を供給したり、電力の供給を遮断したりするための、マイクロプロセッサー７１０によって制御されるＵＳＢ制御回路７２０を含む。点滅の期間は電子メールプログラムの初期設定により、ユーザーによって制御されてもよい。
【００２８】
図９には、視覚的な信号を発生するためのコンピュータープログラムのフローチャートが図示されている。ステップ８１０は、電子メールの受信、インターネット電話を介した電話の呼び出し、ファックスメッセージの受信、またはコンピューターが認識する他のイベント等のイベントが発生しているかを調べるために、プログラムされたマイクロプロセッサー７１０によって連続的（または、断続的）に実行される。イベントが検出された場合、ステップ８２０、８３０、及び８４０において、イベントの種類が判別される。
【００２９】
イベントが電子メールの受信の場合、例えば、オンが０．５秒、オフが０．５秒等の等間隔でＬＥＤ５０がオン・オフを繰り返すように、ＵＳＢ制御回路７２０が制御される（ステップ８２５）。イベントがインターネット電話の呼び出しの場合、例えば、オンが１秒、オフが０．５秒等の、オンがオフより長い状態でＬＥＤ５０がオン・オフを繰り返すように、ＵＳＢ制御回路７２０が制御される（ステップ８３５）。イベントがファックスの受信の場合、例えば、オンが０．５秒、オフが１秒等の、オンがオフより短い状態でＬＥＤ５０がオン・オフを繰り返すように、ＵＳＢ制御回路７２０が制御される（ステップ８４５）。他の全てのイベントに対しては、例えば、オンが１秒、オフが１秒等の間隔でＬＥＤ５０がオン・オフを繰り返すように、ＵＳＢ制御回路７２０が制御される（ステップ８５０）。
【００３０】
さらに、多色のＬＥＤを使用することにより、色の違いによって他の多様な情報がユーザーに伝達されてもよい。
【００３１】
特定の実施例と共に本発明が図示され、説明されてきたが、付随する請求の範囲によって規定される本発明が他の多様な実施例を形成できることは明白であるだろう。
【図面の簡単な説明】
【図１】本発明の実施例のコンピューターライトを図示している。
【図２】ラップトップコンピューターのポートに接続されているコンピューターライトを図示している。
【図３】コンピューターのキーボードのポートに接続されているコンピューターライトを図示している。
【図４】デスクトップコンピューターのメインコンソール（または、本体）のポートに接続されているコンピューターライトを図示している。
【図５Ａ】コンピューターライトのグーズネック（すなわち、自由に首の曲がる）ケーブルの断面図である。
【図５Ｂ】破断部を含む、グーズネックケーブルの平面図である。
【図５Ｃ】グーズネックケーブルの破断部の斜視図である。
【図６Ａ】ＬＥＤヘッド組立品の分解斜視図である。
【図６Ｂ】ＬＥＤヘッド組立品の断面図である。
【図７】ＯＮ−ＯＦＦスイッチを備えたコンピューターライトを図示している。
【図８】コンピューターのユーザーに、イベントに対する視覚的な信号を与えるために、コンピューターライトを制御するための構成要素を図示しているブロック図である。
【図９】コンピューターのユーザーに、イベントに対する視覚的な信号を与えるために、プロセッサーによって実行されるプログラムステップを図示している流れ図である。
【符号の説明】
１０　　コンピューターライト
２０　　プラグ
３０　　プラスチック製ジャケット
４０　　グーズネックケーブル
４１，４２　銅線
４３　　内側の管材料
４４　　外側の管材料
４５　　プラスチック製カバー
５０　　発光ダイオード（ＬＥＤ）
６０　　アルミニウム製円筒形の筐体
７０　　プラスチック製透明レンズ
７１　　スイッチ
２１０　接続ポート
２２０　メインコンソール（本体）
２４０　ディスプレイ
３１０　接続ポート
３２０　メインコンソール（本体）
３３０　キーボード
３４０　ディスプレイ
４１０　接続ポート
４２０　メインコンソール（本体）
７００　メインコンソール（本体）
７１０　マイクロプロセッサー
７２０　ＵＳＢ制御回路
７３０　メモリー
７４０　電源
Ａ　　　レンズ７０の背面の前後方向の位置
Ｂ　　　ＬＥＤの点光源の前後方向の位置
【図９】
2004506966.tif 000003
【国際公開パンフレット】
2004506966.tif 000004
2004506966.tif 000005
2004506966.tif 000006
2004506966.tif 000007
2004506966.tif 000008
2004506966.tif 000009
2004506966.tif 000010
2004506966.tif 000011
2004506966.tif 000012
2004506966.tif 000013
2004506966.tif 000014
2004506966.tif 000015
2004506966.tif 000016
2004506966.tif 000017
2004506966.tif 000018
2004506966.tif 000019
2004506966.tif 000020
2004506966.tif 000021
2004506966.tif 000022
2004506966.tif 000023
2004506966.tif 000024
2004506966.tif 000025
【国際調査報告】
2004506966.tif 000026